(57)【要約】【課題】  接続端子の携帯端末の外部端子との接続をより確実に行うことができる携帯端末用クレイドル装置を提供する。【解決手段】  筐体の載置部に載置される携帯端末に配置された外部端子部に当接される接続端子部、及び接続端子部と取付部との間に設けられるバネ部を有して構成されて、携帯端末の外部端子部に対向して載置部に形成された端子開口部から接続端子部が外部に突出可能な状態で筐体の内部に配置されるバネ端子部材と、バネ部のバネ力に抗してバネ端子部材を筐体の内部側に付勢することにより接続端子部の端子開口部からの突出を規制可能な規制部材と、を備えて構成される携帯端末用クレイドル装置において、バネ端子部材は、接続端子部に対してバネ部とは反対側に遊端部を有し、規制部材は、遊端部に当接してバネ端子部材を筐体内部側に付勢することを特徴とする。【選択図】  図３
2008092738.tif 000002
【特許請求の範囲】
【請求項１】
携帯端末を載置可能な載置部が形成された筐体と、
前記載置部に載置される前記携帯端末に配置された外部端子部に当接される接続端子部、前記筐体に対して取り付けられる取付部、及び前記接続端子部と前記取付部との間に設けられるバネ部を有して構成されて、前記載置部に載置される前記携帯端末の前記外部端子部に対向して前記載置部に形成された端子開口部から前記接続端子部が外部に突出可能な状態で前記筐体の内部に配置されるバネ端子部材と、
前記バネ部のバネ力に抗して前記バネ端子部材を前記筐体の内部側に付勢することにより前記接続端子部の前記端子開口部からの突出を規制可能な規制部材と、
を備えて構成される携帯端末用クレイドル装置において、
前記バネ端子部材は、前記接続端子部に対して前記バネ部とは反対側に遊端部を有し、
前記規制部材は、前記遊端部に当接して前記バネ端子部材を前記筐体内部側に付勢する
ことを特徴とする携帯端末用クレイドル装置。
【請求項２】
前記規制部材は、前記携帯端末が前記載置部に載置されていないときに前記バネ端子部材を前記筐体内部側に付勢して前記接続端子部の前記端子開口部からの突出を規制する
ことを特徴とする請求項１に記載の携帯端末用クレイドル装置。
【請求項３】
前記規制部材は、一端側に配置されて前記遊端部に当接する当接部、他端側に配置されて前記載置部に形成された突部開口部から突出可能な突部、及び前記当接部と前記突部との間に配置されて前記筐体に対して揺動支持される揺動部を備えて構成される揺動部材と、前記突部が前記突部開口部から突出する方向へ前記揺動部材を付勢する付勢部材とを、有し、前記付勢部材によって前記突部が前記突部開口部から突出した状態で前記揺動部材が付勢される場合に、前記接続端子部が前記筐体内部に位置される状態で前記当接部が前記遊端部に当接して前記バネ端子部材を付勢する
ことを特徴とする請求項２に記載の携帯端末用クレイドル装置。
【請求項４】
前記揺動部材は、前記筐体内で、前記接続端子部に対して前記バネ部とは反対側に配置される
ことを特徴とする請求項３に記載の携帯端末用クレイドル装置。
【発明の詳細な説明】
【技術分野】
【０００１】
本発明は、携帯端末を載置可能に構成され、該携帯端末の外部端子に当接される接続端子部を備える携帯端末用クレイドル装置に関する。
【背景技術】
【０００２】
従来、携帯端末用のクレイドル装置として、例えば携帯電話機の充電台が知られており、この充電台は、携帯電話機が載置される載置部が設けられた筐体と、携帯電話機が載置部に載置された状態で携帯電話機の外面に配置された充電用の外部端子に当接して電気的に接続される接続端子部と、家庭用コンセントなどに接続されるＡＣアダプタからの電源を供給する電源ケーブルと接続可能な電源コネクタとを有して構成される。
【０００３】
そして、電源ケーブルを介して供給される電源が、接続端子部を介して携帯端末の外部端子に入力されて、携帯端末の内部に収納されている充電可能な二次電池（バッテリー）に蓄電されることにより、携帯電話が充電される。
【０００４】
また、従来の充電台では、携帯電話機が載置された場合にのみ接続端子部を筐体外部に突出させるように、接続端子部をコイル状バネ部材の一部で構成して、携帯電話機が載置されていない場合にはコイル状バネ部材のコイル部と接続端子部との間の部位を筐体内部側に付勢して、接続端子部を筐体内部に退入させ、携帯電話機が載置されるとコイル状バネ部材に対する付勢を解除して接続端子部を筐体外部に突出させるように構成されている。この構成により、接続端子部は、携帯電話機が載置されていないときには、筐体外部に突出されないため、端子が短絡したり粉塵や埃などの塵が接続端子部に付着して携帯電話機の外部端子との接触不良が発生することを抑制できる構成となっている。（例えば特許文献１参照）
【特許文献１】特開２００３−１３４６８０号公報
【発明の開示】
【発明が解決しようとする課題】
【０００５】
しかしながら、上述した従来の充電台では、コイル状バネ部材におけるコイル部と接続端子部との間の部位を筐体内部側に付勢する構成であるため、接続端子部を筐体内部に退入させるためには大きな付勢力が必要となる。この大きな付勢力をコイル部と接続端子部との間の部位に作用させると、コイル部に大きな反力が作用してコイル部が塑性変形する虞があり、コイル部のバネ力の低下に伴って付勢力を解除しても接続端子部の筐体外部への突出が好適に行われずに、携帯電話機の外部端子と接続端子部との間での接触不良が発生する虞があった。
【０００６】
そこで、本発明は、接続端子部を携帯端末の外部端子に好適に当接できる携帯端末用クレイドル装置を提供することを目的とする。
【課題を解決するための手段】
【０００７】
この発明は、携帯端末を載置可能な載置部が形成された筐体と、前記載置部に載置される前記携帯端末に配置された外部端子部に当接される接続端子部、前記筐体に対して取り付けられる取付部、及び前記接続端子部と前記取付部との間に設けられるバネ部を有して構成されて、前記載置部に載置される前記携帯端末の前記外部端子部に対向して前記載置部に形成された端子開口部から前記接続端子部が外部に突出可能な状態で前記筐体の内部に配置されるバネ端子部材と、前記バネ部のバネ力に抗して前記バネ端子部材を前記筐体の内部側に付勢することにより前記接続端子部の前記端子開口部からの突出を規制可能な規制部材と、を備えて構成される携帯端末用クレイドル装置において、前記バネ端子部材は、前記接続端子部に対して前記バネ部とは反対側に遊端部を有し、前記規制部材は、前記遊端部に当接して前記バネ端子部材を前記筐体内部側に付勢することを特徴とする。
【発明の効果】
【０００８】
この発明の携帯端末用クレイドル装置にあっては、規制部材が、バネ端子部材の接続端子部に対してバネ部とは反対側の遊端部に当接して接続端子部が筐体内部側に位置するようにバネ端子部材を付勢することにより、小さい付勢力でバネ端子部材を筐体内部側に位置させることができる。
【発明を実施するための最良の形態】
【０００９】
以下、本発明に係る携帯端末用クレイドル装置の第１実施形態を図１乃至図７を参照しながら説明する。
【００１０】
本第１実施形態の携帯端末用クレイドル装置は、図１及び図２に示されるように、携帯電話機１００が載置可能に構成されて、携帯電話機１００に対して充電可能な充電台１である。
【００１１】
先ず、携帯電話機１００は、図示されない液晶表示器などにより構成されるメイン表示部が設けられる表示側筐体である第１筐体１０１と、図示されないバッテリが内蔵されるとともに図示されないテンキーや選択キーなどを有して構成されるキー操作部が筐体表面上に配置されたキー側筐体としての第２筐体１０２とを有し、これら筐体１０１、１０２が長手方向における一端側１０１ａ、１０２ａで連結部１０３を介して連結されて開閉可能に構成されている。
【００１２】
このように携帯電話機１００は、いわゆる折り畳み式の携帯電話機とされ、第１筐体１０１の第２筐体１０２に対する重ね合せ面にメイン表示部が配置され、第２筐体１０２の第１筐体１０１に対する重ね合せ面にキー操作部が配置されている。そして、第１筐体１０１のメイン表示部と第２筐体１０２のキー操作部とは、両筐体１０１，１０２のそれぞれの重ね合せ面に配置されるため、図１に示されるように携帯電話機１００が折り畳まれた状態（閉状態）では筐体外部に露出されない構成となっている。
【００１３】
第１筐体１０１は、メイン表示器が配置されるフロントケース１０１ｂと第２筐体１０２に対する重ね合せ面とは反対側の背面を形成するリヤケース１０１ｃとが両筐体１０１，１０２の重ね合わせ方向に組み合わされて構成される。そして、第１筐体１０１の内部には、メイン表示器、カメラモジュール、液晶表示器で構成されるサブ表示器、音声出力を行うスピーカー、メイン表示器やカメラモジュールやサブ表示器やスピーカーの動作を制御するための図示しないサブ回路基板などが配設されている。リヤケース１０１ｃには、第１筐体１０１の内部に収納されるカメラモジュールのためのカメラ窓１０１ｅとサブ表示器のための表示窓１０１ｆが設けられ、フロントケース１０１ｂには、幅方向側面部にスピーカーからの音声を出力するためのスピーカー孔１０１ｇが設けられている。
【００１４】
また、第２筐体１０２は、キー操作部が配置されるフロントケース１０２ｂと第１筐体１０１に対する重ね合せ面とは反対側の背面を形成するリヤケース１０２ｃとが両筐体１０１，１０２の重ね合わせ方向に組み合わされて構成される。そして、第２筐体１０１の内部には、キー操作部での操作に応じて動作されるデバイスや通信デバイスなどを制御するためのメイン回路基板が配置されている。また、リヤケース１０２ｃは、図示しないバッテリを収納する収納部１０４が形成されて、この収容部１０３にてバッテリを収容するとともに、この収納部１０４を閉塞するバッテリーリッド１０４ａが結合されている。
【００１５】
また、第２筐体１０２に収納されているメイン回路基板には、各種制御を行うための電子部品が実装されているとともに、外部端子部１０５としての充電用の給電端子１０５ａ、グランド端子１０５ｂ、音声出力端子１０５ｃ、アンプ制御端子１０５ｄが実装されており、バッテリーリッド１０４ａにはこれら端子１０５ａ〜１０５ｄに対向した位置にそれぞれ外部端子孔１０４ａ，１０４ｂ，１０４ｃ，１０４ｄが形成されている。フロントケース１０２ｂとリヤケース１０２ｃとの間にメイン回路基板を組み込んだ状態で両ケース１０２ｂ，１０２ｃを結合させて、バッテリーリッド１０４ａをリヤケース１０２ｃに結合させると、各端子１０５ａ〜１０５ｄの端子面がバッテリーリッド１０４ａの各外部端子孔１０４ａ〜１０４ｄから露出されるように構成されている。
【００１６】
図１及び図２に示されるように、第１筐体１０１の一端部１０１ａとは反対側の筐体長手方向における他端部１０１ｄは、リヤケース１０１ｃ側の外面が曲面状に形成されている。また、第２筐体１０２の一端部１０２ａとは反対側の筐体長手方向における他端部１０２ｄも、リヤケース１０２ｃ側の外面が曲面状に形成されている。そして、バッテリーリッド１０４ａは、第２筐体１０２の背面側平面部を形成する平面部と第２筐体１０２の他端部１０２ｄを湾曲状に形成する曲面部とを有して構成されており、この曲面部と平面部との境界部位に外部端子孔１０４ａ〜１０４ｄが形成されている。
【００１７】
充電台１は、図１及び図２に示されるように、略半球状に形成される充電筐体２を有し、この充電筐体２には、携帯電話機１００の他端部（図１に示される下端部）が装着されて、携帯電話機１００を支持するための支持凹部（載置部）３が形成されている。この支持凹部３は、図１に示すように、携帯電話機１００が装着されて載置された状態において、携帯電話機１００上端側が後方に傾斜して支持されるように、後方上側（図１における右側）に向かって開口するように形成されている。
【００１８】
また、充電筐体２には、支持凹部３の後面３ａより筐体外部に突出可能な係合突起部４ａを有して構成され、当該係合突起部４ａが筐体外部に突出した位置と充電筐体２の内部に退入する位置との間で摺動可能に配置されるとともに係合突起部４が支持凹部３の後面３ａから筐体外部に突出する方向に付勢される係合部材４が設けられている。そして、第２筐体１０２のバッテリーリッド１０４ａには、係合突起部４ａに対向する位置に筐体内部側に窪むように形成される係合凹部１０４ｂが形成されている。
【００１９】
よって、携帯電話機１００は、傾斜した状態で他端部が支持凹部３に挿嵌されることによって、充電筐体２に装着されて充電台１に載置されることとなる。このように携帯電話機１００が充電台１に載置された状態では、支持凹部３の後面３ａから突出される係合突起部４ａが第２筐体１０２の背面に形成された係合凹部１０４ｂに係合することにより、携帯電話機１００は、第２筐体１０２と充電筐体２とが係合された状態で充電筐体２に保持されることとなる。なお、携帯電話機１００を充電筐体２から取り外す場合には、携帯電話機１００の他端部を支持凹部３から引き出すことによって、係合突起部４ａが付勢力に抗して筐体内部側に退入されて係合突起部４と係合凹部１０４ｂとの係合が解除されることにより、第２筐体１０２と充電筐体２との係合が解除されることにより、携帯電話機１００を充電台１から取り外すことができる。
【００２０】
次に、充電台１の充電筐体２における内部構造について、図３乃至図６を用いて説明する。
【００２１】
図３の分解斜視図に示されるように、充電台１は、半球状に形成されるアッパーケース２ａと平面状に形成されるアンダーケース２ｂとが上下方向で結合されて構成される充電筐体２を備え、当該充電筐体２の両ケース２ａ，２ｂの間に形成される筐体内部には、音響出力部材５、各種電子部品が実装された回路基板６、回路基板６の後端部に実装されて外部電源ケーブルが接続可能な電源コネクタ７と、回路基板６に取り付けられて電源コネクタ７から入力された電力が回路基板６を介して導電される給電端子部材８１、回路基板６に取り付けられて回路基板６の基準電位部に導通されるグランド端子部材８２、回路基板６に取り付けられて携帯電話機１００の音声出力端子１０５ｃを介して入力される音声信号を回路基板６に実装されている音声出力制御用の電子部品に接続される音声出力端子部材８３、及び回路基板６に取り付けられて回路基板６に実装される音声増幅器（アンプ）を制御する信号を携帯電話機１００から入力して音声増幅器に出力するアンプ制御端子部材８４を備えた端子部材（バネ端子部材）８と、各端子部材８１〜８４を筐体内部側に付勢可能な揺動部材９と、支持凹部３の後面３ａから突出可能な係合突起部４ａを備えた係合部材４とが配設されている。
【００２２】
先ず、音響出力部材５は、内部に図示しないスピーカーを備えた音声筐体５ａを有して、音声筐体５ａの下面からスピーカーの音を出力するように構成されており、スピーカーの音声が充電筐体２のアンダーケース２ｂの前方に形成されている複数の音出力孔２１から充電筐体２の外部に出力されるようにアンダーケース２ｂに取り付け固定される。
【００２３】
回路基板６は、四隅にネジが挿通される挿通孔６ａが形成されており、充電筐体２のアッパーケース２ａの内部に鉛直方向に形成された図示しないネジボス部に螺合結合されてアッパーケース２ａに取り付けられる。
【００２４】
電源コネクタ７は、回路基板６の後端部の上面に実装されており、回路基板６がアッパーケース２ａにネジ止め結合されたときに外部電源ケーブルとの接続口がアッパーケース２ａの後端下部に形成されたコネクタ開口部から露出するように配設されている。
【００２５】
なお、回路基板６の上面には、電源コネクタ７だけでなく、電源コネクタ７を介して供給される電力の供給制御を行うための電子部品やスピーカーに出力される音声信号の出力を制御するための電子部品などの各種電子部品が実装されている。
【００２６】
各端子部材８１〜８４を有して構成される端子部材８は、金属線部材で構成され、それぞれ略同一の形状とされている。そして、端子部材８は、一端側に略コ字条に形成されて回路基板６に半田付けなどにより取り付けられる取付部８ａを有し、他端側に充電筐体２の支持凹部３の後面３ａに形成された端子開口孔（端子開口部）３１〜３４に挿通されて筐体外部に突出可能な接続端子部８ｂを有し、取付部８ａと接続端子部８ｂとの間でコイル状に形成されたコイル部（バネ部）８ｃとを有して構成される。更に、端子部材８は、接続端子部８ｂの他端側に略直線状に延設される遊端部８ｄが形成されている。なお、端子部材８は、取付部８ａが回路基板６に取り付けられた状態では、コイル部８ｃと接続端子部８ｂと遊端部８ｄとが、回路基板６の上面側に位置される。
【００２７】
揺動部材９は、図４に示されるように、幅方向（携帯電話機１００が支持凹部３に載置されたときの携帯電話機１００の筐体幅方向と同方向）に延びる回転軸部（揺動部）９ａを幅方向両端に有して構成され、この両端の回転軸部９ａが充電筐体２のアッパーケース２ａの内部に形成された支持部材に揺動可能に支持された状態で充電筐体２に取り付けられている。そして、充電筐体２の後端側（図３に示される右側）である一端側には、端子部材８の接続端子部８ｂが挿通される挿通孔９ｂが形成され、その挿通孔９ｂの一端側には端子部材８の遊端部８ｄと当接される当接部９ｃが設けられている。当接部９ｃは、筐体幅方向である端子部材８のコイル部８ｃのコイル軸と平行な方向に延びるように形成されており、端子部材８の遊端部８ｄと確実に当接される形状とされている。このように、接続端子部８ｂが揺動部材９に形成された挿通孔９ｂに挿通された状態で当接部９ｃが遊端部８ｄに当接されるので、端子部材８と揺動部材９との配置関係を維持した状態で筐体内部に配設することができるとともに、当接部９ｃの遊端部９ｄへの当接をより確実に行うことができる。また、揺動部材９は、他端側の幅方向中央に支持凹部３の底面部３ｄに形成された突部開口部３ｅを挿通可能な突部９ｄが形成されている。
【００２８】
そして、この揺動部材９は、付勢バネ（付勢部材）９ｅによって、突部９ｄが突起孔部３ｅから突出する方向へ付勢されている。詳細には、付勢バネ９ｅの幅方向両端部に形成されたコイル状端部が回転軸部９ａに挿通されて幅方向中央部が突部９ｄの下面近傍に当接されており、コイル状端部のバネ力によって突部９ｄが突部開口部３ｅから突出する方向へ付勢部材９が常時付勢されることとなる。よって、揺動部材９と付勢バネ９ｅとによって、端子部材８の接続端子部８ｂが筐体外部へ突出することを規制可能な規制部材が構成される。
【００２９】
また、充電筐体２のアッパーケース２ａには、係合突起部４ａが充電筐体２の内部に退入する位置と支持凹部３の後面３ａより筐体外部に突出した位置との間で移動可能に係合部材４が回動可能に設けられている。なお、この係合部材４は、係合突起部４ａが支持凹部３の後面３ａから筐体外部に突出される方向に付勢バネ４ｂによって常時付勢されている。
【００３０】
このように充電筐体２は、アッパーケース２ａとアンダーケース２ｂとで形成される筐体内部空間に、スピーカー５、回路基板６、接続端子８、揺動部材９、及び係合部材４が備えられて構成されている。
【００３１】
次に、充電筐体２の内部構成の動作について説明する。
【００３２】
図５は、充電台１に携帯電話機１００が載置されていない状態を示しており、図５（ａ）はその状態での断面斜視図であり、図５（ｂ）は断面平面図である。図５に示されるように、揺動部材９が付勢バネ９ｅによって突部９ｄが突部開口部３ｅから筐体外部突出する方向へ付勢されているため、この状態においては、突部９ｄが突部開口部３ｅから突出した状態とされる。
【００３３】
このとき、揺動部材９の一端側は付勢バネ９ｅの付勢力によって回路基板６に近づく方向へ回動された状態に付勢される。よって、揺動部材９は、一端側に形成された当接部９ｃが接続部材８の遊端部８ｄに当接した状態でコイル部８ｃのコイルバネ力に抗して接続部材８を下方向（回路基板６に近づく方向）へ付勢する。接続部材８は、遊端部８ｄが下方向へ付勢されることによってコイル部８ｃから他端側の部位がコイル部８ｃを中心として下方向へ回動されて、接続端子部８ｂも下方向へ変位される。接続端子部８ｂは、この下方向への回動変位によって支持凹部３の後面３ａに形成された端子開口部３１〜３４から外部に突出されない状態とされる。
【００３４】
図６は、充電台１に携帯電話機１００が載置された状態を示しており、図６（ａ）はその状態での断面斜視図であり、図６（ｂ）は断面平面図である。支持凹部３に携帯電話機１００が装着されて、携帯電話機１００の他端部によって揺動部材９の突部９ｄが下方向に押圧されると、揺動部材９は、付勢バネ９ｅの付勢力に抗して突部９ｄが下方向へ向かう方向に回動されて、図５（ｂ)に示される状態とされる。このとき、突部９ｄが下方向へ向かう方向に揺動部材９が回動されるため、他端部に形成された当接部９ｃは上方向へ回動変位され、接続部材８の遊端部８ｄの下方向への付勢が解除されることとなる。
【００３５】
接続部材８は、揺動部材９による遊端部８ｄでの下方向への付勢が解除されるため、コイル部８ｃのコイルバネ力によって、他端側がコイル部８ｃを中心として回路基板６から離れる方向（図６（ｂ）に示す反時計回り方向）へ向かって回動される。このように、接続部材８がコイル部８ｃのコイルバネ力によって回動されると、図６（ｂ）に示されるように、接続端子部８ｂが支持凹部３の後面３ａに形成された端子開口部３１〜３４に挿通されて、接続端子部８ｂが支持凹部３の後面３ａから筐体外部に突出して位置される。この状態では、図７に示されるように、支持凹部３に携帯電話機１００が装着されている状態であり、筐体外部に突出された各端子部材８１〜８４の各接続端子部８ｂは携帯電話機１００の第２筐体１０２の背面に配置されている外部端子１０５ａ〜１０５ｄに当接される。
【００３６】
このように、携帯電話機１００が充電筐体２の支持凹部３に装着されて充電台１に載置されると、携帯電話機１００の他端部が支持凹部３の底面３ｄの突部開口部３ｅから突出している突部９ｄを下方向に押圧することとなり、揺動部材９が図６（ｂ）及び図７において反時計回り方向に回動されることとなり、揺動部材９による端子部材８の図６（ａ）における時計方向周りへの付勢が解除される。端子部材８は、揺動部材９による付勢が解除されると、コイル部８ｃのコイルバネ力によって図６（ｂ）及び図７における反時計回り方向にコイル部８ｃを中心として回動することとなり、他端側に形成されている接続端子部８ｂが支持凹部３の後面３ａの端子開口部３１〜３４に挿通して、筐体外部に突出する。突出した接続端子部８ｂは、携帯電話機１００の外部端子１０５ａ〜１０５ｄに当接され、各外部端子１０５ａ〜１０５ｄに回路基板６からの電力や各種信号を携帯電話機１００に伝達することができるとともに、携帯電話機１００からの各種信号を回路基板６へ伝達することができる。
【００３７】
また、充電筐体２の内部に配置された係合部材４の係合突起部４ａが、携帯電話機１００の第２筐体１０２の背面に形成された係合凹部１０４ｄと係合されることにより携帯電話機１００の装着状態が保持されている。
【００３８】
次に、携帯電話機１００を充電台１から取り出す場合には、携帯電話機１００を支持凹部３から引き出すことにより、係合突起部４ａと係合凹部１０４ｄとの係合が解除されることにより、携帯電話機１００の支持凹部３への装着を解除して取り出すことができる。
【００３９】
携帯電話機１００が取り出されると、携帯電話機１００の他端部による揺動部材９の突部９ｄの下方向への押圧が解除されることとなり、揺動部材９は、図５に示されるように、時計回り方向に回動して、突部９ｄが支持凹部３の底面３ｄの突部開口部３ｅから突出した状態となる。また、揺動部材９の時計回り方向への回動により、揺動部材９の他端側に形成されている当接部９ｃが、端子部材８の遊端部８ｄに当接した状態で、端子部材８を時計回り方向へ付勢する。端子部材８が揺動部材９の付勢力によってコイル部８ｃを中心として時計回り方向へ回動されると、充電筐体２の支持凹部３の後面３ａに形成された端子開口部３１〜３４に挿通されて筐体外部に突出していた接続端子部８ｂが、充電筐体２の筐体内部に退入されて、筐体外部に突出されなくなる。
【００４０】
このように、携帯電話機１００が充電筐体２に載置されていない状態では、携帯電話機１００の外部端子１０５と接続可能な接続端子部８ｂが筐体外部に突出しないように構成されているため、接続端子８ｂへの他部材の接触などによる短絡を抑制したり、接続端子部８ｂへの埃や塵などが付着することを抑制して接続不良の発生を抑制している。
【００４１】
上述したように、本実施形態の携帯電話機の充電器１においては、携帯電話機１００が載置されていない場合に、接続端子部８ｂが筐体内部に退入した位置に位置されるように端子部材８を付勢する揺動部材９が、当接部９ｃによって端子部材８の接続端子部８ｂに対してコイル部８ｃとは反対側の遊端部８ｄを付勢する構成を有している。よって、揺動部材をコイル部と接続端子部との間の中間部位に当接させて当該中間部位で付勢する従来技術に対して、接続端子部８ｂに対してコイル部８ｃから離れた部位である遊端部８ｄを付勢する構成によって、端子部材８を付勢した状態において端子部材８に作用する応力を軽減させることができ、揺動部材９の付勢力によって端子部材８が塑性変形することを抑制できる。
【００４２】
このように、端子部材８の塑性変形が抑制されることによって、コイル部８ｃのコイルバネ力を維持させることができ、揺動部材９による端子部材８への付勢力を解除した場合における接続端子部８ｂが筐体外部へ突出する方向への端子部材８の回動変位量を維持することができ、携帯電話機１００を支持凹部３に装着したときの接続端子部８ｂの携帯電話機１００の外部端子１０５への当接を強固とすることができ、携帯電話機１００と充電台１との電気的接続をより各確実に行うことができる。
【００４３】
また、揺動部材９が、接続端子部８ｂに対してコイル部８ｃとは反対側の遊端部８ｄに当接して付勢する構成であるため、従来技術に対して付勢力を小さくすることができ、端子部材８を付勢する揺動部材９及び付勢バネ９ｅの構成を簡素化（小型化）することができ、充電台１全体の構成をコンパクトに構成することができる。
【００４４】
次に、図８〜図１１を用いて、第２実施形態の充電台１１について説明する。
【００４５】
図８（ａ）は、充電台１１単体の外観斜視図を示し、図８（ｂ）は携帯電話機２００と充電台１１との分解斜視図を示し、図８（ｃ）は携帯電話機２００が充電台１１に載置された状態の外観斜視図を示している。
【００４６】
図８（ａ）に示されるように、充電台１１は、矩形板状に形成された充電筐体１２を有し、この充電筐体１２には携帯電話機２００を載置可能な載置部としての支持凹部１３が形成されている。
【００４７】
充電筐体１２の支持凹部１３の長手方向一端面１３ａには、携帯電話機２００が装着された際に、携帯電話機２００の外面に形成された係合凹部と係合される係合突起部１４ａが突出して配設されている。また、充電筐体１２の支持凹部１３の底面１３ｄには、筐体内部に配設される端子部材１８の接続端子部１８ｂが挿通される端子開口部１３１，１３２が形成されている。
【００４８】
携帯電話機２００は、表示装置を備えた第１筐体２０１と操作部を備えた第２筐体２０２とがヒンジ部２０３によって連結されて構成されており、上述した実施形態と同様の構成を備えている。そして、第２筐体２０２のヒンジ部２０３側の端面には、携帯電話機２００が充電台１１に載置されたときに支持凹部１３の一端面１３ａに配置された係合突起部１４ａと係合される図示しない係合凹部が形成されている。また、第２筐体２０２の背面（携帯電話機２００が充電台１１に載置されるときに支持凹部１３に対向する面）には、支持凹部１３の底面１３ｄに形成されている端子開口部１３１，１３２と対向する位置に外部端子が配設されている。
【００４９】
充電筐体１２に設けられた載置部としての支持凹部１３は、携帯電話機２００の第２筐体２０２を収納するような形状とされており、図８（ｃ）に示されるような状態で携帯電話機２００が支持凹部１３に装着される。
【００５０】
次に、充電台１１の充電筐体１２の内部構成について、図９に示される分解斜視図を用いて説明する。先ず、充電筐体１２は、アッパーケース１２ａとアンダーケース１２ｂとの２つのケースの組み合わせによって構成され、両ケース１２ａ，１２ｂの間には、係合突起部１４ａを備えた係合部材１４、回路基板１６、端子部材１８、揺動部材１９が配設されている。
【００５１】
アンダーケース１２ｂには、その内面（図９に示す上面）に回路基板１６がネジ止めなどの螺合結合によって水平状態で取り付けられている。この回路基板１６は、その上面に電源コネクタ１７や各種の制御処理を行うための電子部品が実装されている。なお、アンダーケース１２ｂの一端側端面には、電源コネクタ１７の接続口を筐体外部に露出させるための切欠き部が形成されている。
【００５２】
また、回路基板１６には、第１実施形態と同様に端子部材（バネ端子部材）１８が固設されている。詳細には、端子部材１８は、一端に取付部１８ａが形成され、他端側に接続端子部１８ｂが形成され、取付部１８ａと接続端子部１８ｂとの間の部位にコイル状に形成されたバネ部１８ｃが形成されているとともに、接続端子部１８ｂの他端側に遊端部１８ｄが形成されており、取付部１８ａが回路基板１６に取り付けられることで回路基板１６に固設される。なお、図９に示される分解斜視図では、筐体幅方向の一端側にのみ端子部材１８が配置される構成となっているが、実際には幅方向両端側に端子部材１８が配設されており、支持凹部１３の底面１３ｄに形成された２つの端子開口部１３１，１３２の両方から各々の端子部材１８の接続端子部１８ｂが突出可能とされている。
【００５３】
アッパーケース１２ａの内面には、係合突部部１４ａが形成された係合部材１４が揺動自在に取り付けられており、係合突部部１４ａが支持凹部１３の一端面１３ａに形成された突起孔部１３ｂから突出する位置と充電筐体１２の内部に退入した位置との間で移動可能に構成されている。なお、この係合部材１４は、係合突起部１４ａが突起孔部１３ｂから突出する方向に図示しないバネ部材によって付勢されている。
【００５４】
また、揺動部材１９は、充電筐体１２の幅方向（支持凹部１３に載置された状態での携帯電話機２００の筐体幅方向）に延びる回動軸を有する回動軸部１９ａと、回動軸部１９ａに対して充電筐体１２の長手方向一端側に形成されて端子部材１８の遊端部１８ｄに当接される当接部１９ｃと、回転軸部１９ａに対して同長手方向他端側に形成される突部１９ｄとを有して、回動軸部１９ａがアッパーケース１２ａの内面に形成された支持部材に回動可能に取り付けられることにより、アッパーケース１２ａに揺動可能に支持されている。
【００５５】
そして、端子部材１８が取り付けられた回路基板１６が充電筐体１２の長手方向一端側（図９における右手方向）に配置されているのに対して、揺動部材１９は、回路基板１６に対して同長手方向他端側（図９における左手方向）に配置されている。そして、揺動部材１９は、回路基板１６に対して筐体長手方向他端側の位置で筐体の厚さ方向に揺動可能とされている。なお、揺動部材１９は、一端に形成された突部１９ｄが支持凹部３の後面１３ｆに形成された突部開口部１３ｅから突出する回動方向に図示しない付勢バネ（付勢部材）によって付勢されている。この揺動部材１９と付勢バネとによって、端子部材１８の接続端子部１８ｂが筐体外部へ突出することを規制可能な規制部材が構成される。
【００５６】
そして、充電筐体１２は、端子部材１８及び電源コネクタ１７が取り付けられた回路基板１６が内面に取り付けられたアンダーケース１２ｂに対して、内面に係合部材１４と揺動部材１９とがそれぞれ揺動可能に且つバネ部材によって付勢された状態で取り付けられたアッパーケース１２ａを充電筐体１２の厚さ方向に組み合わされて取り付けられることで構成されている。アッパーケース１２ａがアンダーケース１２ｂに取り付けられると、アッパーケース１２ａに揺動可能に取り付けられている揺動部材１９の当接部１９ｃが、アンダーケース１２ｂに取り付けられている端子部材１８の遊端部１８ｄに当接される。なお、端子部材１８の遊端部１８ｄは、コイル部１８ｃのコイル軸の軸腺と平行な方向に延設されるように屈曲されて形成されており、揺動部材１９の当接部１９ｃとの当接がより確実となるように構成されている。
【００５７】
揺動部材１９は、突部１９ｄが突部開口部１９ｅから突出される方向にバネ部材によって付勢された状態でアッパーケース１２ａに取り付けられているため、アッパーケース１２ａがアンダーケース１２ｂに取り付けられた状態でも、バネ部材の付勢力によって突部１９ｄが突部開口部１９ｅから突出した状態で保持される。この状態においては、突部１９ｄが突部開口部１３ｅから突出する方向（図１１における時計回り方向）に揺動部材１９が付勢されているため、揺動部材１９の一端側（図９に示される右側）に形成されて端子部材１８の遊端部１８ｄに当接される当接部１９ｃが、充電筐体１２の下方向に変位されることとなる。
【００５８】
よって、図１０（ａ）に示されるように、揺動部材１９がバネ部材によって時計回り方向に揺動した状態に付勢されて、揺動部材１９の当接部１９ｃが端子部材１８の遊端部１８ｄに当接した状態で筐体下方向へ変位されるので、端子部材１８は、遊端部１８ｄに当接部１９ｃが当接した揺動部材１９より筐体下方向への付勢力を受け、接続端子部１８ｂや遊端部１８ｄが形成されるコイル部１８ｃより他端側の部位がコイル部１８ｃを中心として図１０（ａ）に示す反時計回り方向へ回動されることとなる。よって、端子部材１８の接続端子部１８ｂは、揺動部材１９からの付勢力によって筐体下方向へ変位された状態となり、支持凹部１３の下面１３ｄに形成された端子開口部１３１，１３２から筐体外部に突出されない状態で保持されることとなる。
【００５９】
このように、携帯電話機２００が支持凹部１３に装着されずに、揺動部材１９の突部１９ｄが筐体外部に突出した状態において、携帯電話機２００が支持凹部１３に装着されて充電器１１に載置されると、携帯電話機２００のヒンジ部２０３とは反対側の他端部における第２筐体２０２の端面が突部１９ｄを筐体内部側に押圧することとなる。突部１９ｄが筐体内部側に押圧されると、揺動部材１９は、図１１（ｂ）に示されるように、バネ部材の付勢力に抗して反時計回り方向へ回動されることとなる。揺動部材１９が反時計回り方向へ回動すると、揺動部材１９の長手方向一端側（図１０における右側）に設けられている当接部１９ｃが筐体上方向（反時計回り方向）へ変位される。
【００６０】
当接部１９ｃが筐体上方向へ移動されると、この当接部１９ｃに当接している端子部材１８の遊端部１８ｄに対する筐体下方向への押圧が抑制されて、揺動部材１９による端子部材１８に対する筐体下方向へ付勢力が解除されることとなる。端子部材１８は、揺動部材１９による筐体下方向への付勢力が解除されると、コイル部１８ｃのコイルバネ力によって、コイル部１８ｃから他端側（図１０における左側）の部位が図１０に示される時計回り方向へコイル部１８ｃを中心として回動され、接続端子部１８ｂが、図１１（ｂ）に示されるように、筐体上方向へ変位されて支持凹部１３の底面１３ａに形成された端子開口部１３１，１３２を挿通し、筐体外部に突出されることとなる。
【００６１】
このように、充電筐体１２の支持凹部１３に携帯電話機２００が装着されて、揺動部材１９の突部１９ｄが筐体内部側に押圧されることにより、揺動部材１９による端子部材１８の筐体下方向への付勢が解除されて接続端子部１８ｂが筐体外部に突出されることとなり、接続端子部１８ｂは、図１０（ｃ）に示されるように、支持凹部１３に装着されている携帯電話機２００の外部端子にそれぞれ当接される。
【００６２】
この第２実施形態での充電台１１においても、第１実施形態での充電台１と同様に、充電筐体１２に携帯電話機２００が載置される載置部としての支持凹部１３が設けられ、この支持凹部１３に携帯電話機２００が装着（載置）されていない状態においては、端子部材１８が揺動部材１９によって筐体内部側へ付勢された状態とされることにより、接続端子部１８ｂが筐体外部に突出しない状態とすることができる。よって、接続端子部１８ｂの他の部材との接触などによる短絡を抑制したり、接続端子部１８ｂへの埃や塵などが付着することを抑制して接続不良の発生を抑制している。
【００６３】
充電筐体１２に携帯電話機２００が載置されて支持凹部１３に装着されると、揺動部材１９による端子部材１８の付勢が解除されて、接続端子部１８ｂが支持凹部１３の底面１３ｄに形成された端子開口部１３１，１３２を挿通して筐体外部に突出されることとなり、携帯電話機２００の外部端子と充電台１１の接続端子部１８ｂとの当接を強固に行うことができ、携帯電話機２００と充電台１１とを電気的に接続させることができる。
【００６４】
そして、携帯電話機２００が充電台１１に載置されていない場合に、揺動部材１９は、コイル部１８ｃと接続端子部１８ｂとの間の部位ではなく、接続端子部１８ｂよりも他端側の部位である遊端部１８ｄを当接部１９ｃによって押圧することで端子部材１８を充電筐体１２の下方向（筐体内部側）へ付勢する構成としたことにより、比較的小さい付勢力で接続端子部１８ｂを筐体内部に退入させることができる。よって、揺動部材１９によって端子部材１８を付勢する際に端子部材１８に作用する応力（負荷）を軽減させて端子部材１８の塑性変形を抑制することができ、揺動部材１９による付勢力が解除されたときの端子部材１８のコイルバネ力による回動量を維持して接続端子部１８ｂの筐体外部への突出量を維持することができ、携帯電話機２００の外部端子と充電台１１の接続端子部１８ｂとの接続状態を良好に維持することができる。
【００６５】
更には、第２実施形態における充電台１１は、揺動部材１９が接続端子部１８ｂよりも他端側の部位である遊端部１８ｄに当接して端子部材１８を付勢する構成とされるとともに、この揺動部材１９が、端子部材１８に対して充電筐体１２の長手方向他端側に配置されている。即ち、本第２実施形態では、揺動部材１９が、接続端子部１８ｂに対して他端側の遊端部１８ｄに当接するとともに、接続端子部１８ｂに対して充電筐体１２の長手方向他端側に配置される構成とされているので、端子部材１８と揺動部材１９とが充電筐体１２の厚さ方向に重なるように配置されることを抑制でき、充電筐体１２の厚さ方向への小型化を図ることが可能となる。なお、揺動部材１９を筐体内の回路基板１６と厚さ方向（上下方向）で重ならない位置に配設することができるので、より小型化を図ることができる。
【００６６】
更には、揺動部材１９を接続端子部１８ｂに対してコイル部１８ｃとは反対側に配置した構成としたことにより、各部材が集約されて配置されることが抑制されて各部材の配置レイアウトの自由度が増大するとともに、各部材の形状の自由度も増大するので、各部材の組付け工数を低減でき、各部材の簡素化が図れて各構成の小型化が図れるとともに安価に構成することができる。
【００６７】
なお、本発明の技術的範囲は前記実施の形態に限定されるものではなく、本発明の趣旨
を逸脱しない範囲において種々の変更を加えることが可能である。
【００６８】
例えば、上述した実施形態では、携帯端末装置として、いわゆる折り畳み式の携帯電話機１００、２００を示したが、これに代えて、スライダ式又はスライド回転式の携帯電話機や、２軸ヒンジを有する携帯電話機や、１つ若しくは３つ以上の筐体を有する構造の携帯電話機であってもよく、クレイドル装置に装着可能に構成されているものであればよい。
【００６９】
また、携帯電話機が、支持凹部に装着されて保持される構成としたが、保持構造を有さなくとも、携帯電話機が載置されたときに携帯電話機の外部端子に接続部材の接続端子部が当接されて、携帯電話機と充電台とが電気的に接続される構成であればよい。
【００７０】
また、揺動部材９，１９は、携帯電話機１００，２００が突部９ｄ，１９ｄを押圧することにより、端子部材８，１８に対する付勢を解除する構成としているが、これに限定されることなく、携帯電話機が充電台に載置されたときに端子部材に対する付勢を解除する構成、例えば、携帯電話機の載置を検知して、揺動部材をモーターなどで電気的に動作させるような構成であってもよい。
【００７１】
また、上述した実施形態では、端子部材８，１８がコイル状のバネ部を有する金属線部材で形成される構成について説明したが、当該構成に限定されることなく、充電筐体に対して取り付けられる取付部と、携帯端末の外部端子と接触される接続端子部と、取付部と接続端子部との間に設けられてバネ力を発生可能なバネ部と、接続端子部に対してバネ部とは反対側に設けられる遊端部とを有するバネ部材で構成されればよい。
【００７２】
また、上述した実施形態では、携帯電話機が充電台に載置されていない場合に端子部材の接続端子部が筐体外部へ突出することを規制するための規制部材を、充電筐体に揺動可能に配設される揺動部材と当該揺動部材を付勢する付勢バネ（付勢部材）とによって構成したが、当該構成に限定されることなく、端子部材のバネ部のバネ力に抗して端子部材を筐体内部側に付勢して接続端子部が筐体外部に突出することを規制可能に構成されていればよい。
【００７３】
さらに、上述した実施形態では、携帯端末として携帯電話機を示したが、これに代えて、例えばコードレス電話機や携帯テレビや携帯情報端末や音楽再生端末にも適用可能である。
【００７４】
また、携帯電話機の充電器について説明したが、充電器に限定されることなく、スピーカー装置や通信接続装置などの、携帯端末が載置されたときに携帯端末の外部端子と接続される接続端子を備えた携帯端末用クレイドル装置であればよい。
【図面の簡単な説明】
【００７５】
【図１】本発明の第１実施形態に係る携帯端末用クレイドル装置の前方斜視図である。
【図２】本発明の第１実施形態に係る携帯端末用クレイドル装置の後方斜視図である。
【図３】本発明の第１実施形態に係る携帯端末用クレイドル装置の分解斜視図である。
【図４】本発明の第１実施形態に係る携帯端末用クレイドル装置の一部の構成を示す斜視図である。
【図５】本発明の第１実施形態に係る携帯端末用クレイドル装置の断面斜視図である。
【図６】本発明の第１実施形態に係る携帯端末用クレイドル装置の断面平面図である。
【図７】本発明の第１実施形態に係る携帯端末用クレイドル装置の断面平面図である。
【図８】本発明の第２実施形態に係る携帯端末用クレイドル装置の斜視図である。
【図９】本発明の第２実施形態に係る携帯端末用クレイドル装置の分解斜視図である。
【図１０】本発明の第２実施形態に係る携帯端末用クレイドル装置の断面平面図である。
【符号の説明】
【００７６】
１，１１  充電台、２，１２  充電筐体（筐体）、３，１３  支持凹部（載置部）、４，１４  係合部材、６，１６  回路基板、８，１８  端子部材、９，１９  揺動部材、１００，２００  携帯電話機（携帯端末）
【図１】
2008092738.tif 000003
【図２】
2008092738.tif 000004
【図３】
2008092738.tif 000005
【図４】
2008092738.tif 000006
【図５】
2008092738.tif 000007
【図６】
2008092738.tif 000008
【図７】
2008092738.tif 000009
【図８】
2008092738.tif 000010
【図９】
2008092738.tif 000011
【図１０】
2008092738.tif 000012